(57)【要約】  ゲート駆動回路（ＧＤ１）は、直流電源（３）の正極と第１ノード（Ｎ１）との間に接続される第１スイッチング素子（ＳＷ１）と、直流電源（３）の負極と第１ノード（Ｎ１）との間に接続される第２スイッチング素子（ＳＷ２）と、第１ノード（Ｎ１）に接続される第１、第２リアクトル（Ｌ１、Ｌ２）と、直流電源（３）の正極と第１リアクトル（Ｌ１）との間に接続される第３スイッチング素子（ＳＷ３）と、直流電源（３）の負極と第２リアクトル（Ｌ２）との間に接続される第４スイッチング素子（ＳＷ４）と、直流電源（３）の正極と第２リアクトル（Ｌ２）との間に接続される第５スイッチング素子（ＳＷ５）と、直流電源（３）の負極と第１リアクトル（Ｌ１）との間に接続されるダイオード（Ｄ１）とを備える。
2019202862.tif 000002
【特許請求の範囲】
【請求項１】
直流電源から電源供給されてスイッチング素子を駆動するゲート駆動回路において、
前記スイッチング素子のゲート端子に接続される第１ノードと、
前記直流電源の正極と前記第１ノードとの間に接続される第１スイッチング素子と、
前記直流電源の負極と前記第１ノードとの間に接続される第２スイッチング素子と、
前記第１ノードに第１端子が接続される第１リアクトルと、
前記第１ノードに第１端子が接続される第２リアクトルと、
前記直流電源の正極と前記第１リアクトルの第２端子との間に接続される第３スイッチング素子と、
前記直流電源の負極と前記第２リアクトルの第２端子との間に接続される第４スイッチング素子と、
前記直流電源の正極と前記第２リアクトルの前記第２端子との間に接続される第５スイッチング素子と、
前記直流電源の負極にアノードが、前記第１リアクトルの前記第２端子にカソードが接続されるダイオードと、
前記スイッチング素子への駆動信号に基づいて前記第１〜第５スイッチング素子をスイッチング制御する制御回路とを備える、
ゲート駆動回路。
【請求項２】
前記第１リアクトルのインダクタンスよりも前記第２リアクトルのインダクタンスを大きくした、
請求項１に記載のゲート駆動回路。
【請求項３】
前記第１スイッチング素子がオン状態で前記第２〜第５スイッチング素子がオフ状態である、前記スイッチング素子のオン固定期間と、
前記オン固定期間に先立って、前記スイッチング素子の前記ゲート端子を充電するゲート充電期間と、
前記ゲート充電期間に先立って、前記スイッチング素子の状態がダイオード整流であるか否かを判定する判定期間とを有し、
前記判定期間において、前記スイッチング素子の状態がダイオード整流と判定されると、前記ゲート充電期間において、前記第５スイッチング素子が第１設定時間だけオンして、前記第２リアクトルを介して前記スイッチング素子の前記ゲート端子を充電する、
請求項１または請求項２に記載のゲート駆動回路。
【請求項４】
前記ゲート充電期間において、前記第５スイッチング素子がオンする前記第１設定時間は、前記スイッチング素子の前記ゲート端子、ソース端子間の電圧が、前記直流電源の正極、前記ソース端子間の電圧以上となるように設定される、
請求項３に記載のゲート駆動回路。
【請求項５】
前記判定期間において、前記スイッチング素子の状態がダイオード整流でないと判定されると、前記ゲート充電期間において、前記第３スイッチング素子が第２設定時間だけオンして、前記第１リアクトルを介して前記スイッチング素子の前記ゲート端子を充電する、
請求項３または請求項４に記載のゲート駆動回路。
【請求項６】
前記オン固定期間の終了後に、前記第４スイッチング素子が第３設定時間だけオンして、前記スイッチング素子の前記ゲート端子の蓄積エネルギにより前記第２リアクトルを励磁する励磁期間と、
続いて前記第５スイッチング素子が第４設定時間だけオンして、前記第２リアクトルの蓄積エネルギを前記直流電源に回生する回生期間と、
続いて前記第２スイッチング素子がオン状態で前記第１、第３〜第５スイッチング素子がオフ状態である、前記スイッチング素子のオフ固定期間とを有する、
請求項３から請求項５のいずれか１項に記載のゲート駆動回路。
【請求項７】
前記第３設定時間および前記第４設定時間は、前記第２リアクトルのインダクタンスと前記スイッチング素子の入力容量とで決定される共振周期の１／４に設定される、
請求項６に記載のゲート駆動回路。
【請求項８】
前記直流電源の正極と前記第１ノードとの間で前記第１スイッチング素子に直列接続される第１抵抗と、
前記直流電源の負極と前記第１ノードとの間で前記第２スイッチング素子に直列接続される第２抵抗とを備える、
請求項１から請求項７のいずれか１項に記載のゲート駆動回路。
【請求項９】
前記直流電源の負極が前記スイッチング素子のソース端子に接続される、
請求項１から請求項８のいずれか１項に記載のゲート駆動回路。
【請求項１０】
前記直流電源は、第１直流電源と第２直流電源とを直列接続して構成され、該第１直流電源と該第２直流電源との接続点が前記スイッチング素子のソース端子に接続される、
請求項１から請求項８のいずれか１項に記載のゲート駆動回路。
【請求項１１】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項１から請求項１０のいずれか１項に記載のゲート駆動回路を備える、
電力変換装置。
【請求項１２】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項３から請求項７のいずれか１項に記載のゲート駆動回路を備え、
前記各ゲート駆動回路の前記制御回路は、前記判定期間において、前記２つのスイッチング素子にそれぞれ流れる各電流と、該２つのスイッチング素子の前記接続点から前記インダンタンス成分を介して前記負荷に流れる電流とに基づいて駆動対象のスイッチング素子の状態を判定する、
電力変換装置。
【請求項１３】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項３から請求項７のいずれか１項に記載のゲート駆動回路を備え、
前記各ゲート駆動回路の前記制御回路は、前記判定期間において、前記２つのスイッチング素子のドレイン端子、ソース端子間の各電圧に基づいて駆動対象のスイッチング素子の状態を判定する、
電力変換装置。
【請求項１４】
前記直流母線間の直流電力と前記負荷の直流電力との間で電力変換するＤＣ／ＤＣコンバータで構成される、
請求項１１から請求項１３のいずれか１項に記載の電力変換装置。
【請求項１５】
前記直流母線間の直流電力と前記負荷の交流電力との間で電力変換するインバータで構成される、
請求項１１から請求項１３のいずれか１項に記載の電力変換装置。
【発明の詳細な説明】
【技術分野】
【０００１】
本願は、スイッチング素子を駆動するゲート駆動回路、およびゲート駆動回路を用いてスイッチング制御される電力変換装置に関するものである。
【背景技術】
【０００２】
ＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）およびＩＧＢＴ（Ｉｎｓｕｌａｔｅｄ  Ｇａｔｅ  Ｂｉｐｏｌａｒ  Ｔｒａｎｓｉｓｔｏｒ）等の電圧駆動型のスイッチング素子は、ゲート駆動回路によって、スイッチング素子のゲートに電圧を印加することにより駆動制御される。近年、電力変換装置の高電力高密度化を目的として、電力変換装置内のスイッチング素子に高周波動作が可能なＳｉＣ（Ｓｉｌｉｃｏｎ  Ｃａｒｂｉｄｅ）素子を使用することで、スイッチング動作を高周波化させる傾向がある。電力回生型のゲート駆動回路は、スイッチング素子のゲートに蓄積されたエネルギをリアクトルを用いて直流電源に回生するもので、スイッチング素子の高周波化に伴うゲート駆動回路の大型化を抑制できる。【０００３】
例えば特許文献１には、従来のゲート駆動回路である以下の共振ドライブ回路が示されている。
共振ドライブ回路は、充電用インダクタンス素子Ｌｒ１と、放電用インダクタンス素子Ｌｒ２と、回生ダイオードＤ１と、回生ダイオードＤ２と、スイッチ素子ＳＷ１〜ＳＷ４とを備える。そして、駆動対象のメインスイッチ素子の入力容量Ｃに対して充電用インダクタンス素子Ｌｒ１および放電用インダクタンス素子Ｌｒ２が、充放電のＬＣ共振を行う。メインスイッチ素子の入力容量は、充電用インダクタンス素子Ｌｒ１を介して充電された後に、スイッチ素子ＳＷ３のスイッチオンにより電圧固定される。また、メインスイッチ素子の入力容量の充電エネルギは、放電用インダクタンス素子Ｌｒ２を介して放電され、その後、スイッチ素子ＳＷ４のスイッチオンにより該入力容量の電圧は０に固定される。
【先行技術文献】
【特許文献】
【０００４】
【特許文献１】特開平１０−０５２０６１号公報
【発明の概要】
【発明が解決しようとする課題】
【０００５】
寄生ダイオードの導通時にスイッチング素子がオンする、同期整流のターンオンでは、寄生ダイオードの順方向電圧である数ボルトの電圧がスイッチング素子に印加された状態で、スイッチング素子がターンオンする。スイッチング素子は印加電圧に応じて入力容量が変動し、例えば印加電圧が数ボルトの場合は、印加電圧が数百ボルトの場合に比べて入力容量が数十倍大きい事が知られている。同期整流は、スイッチング素子の導通損失低減を図るものであるが、上記電圧依存性によって、同期整流のターンオン時にはスイッチング素子の入力容量が急増する。
上述した従来のゲート駆動回路を用いて、駆動対象のスイッチング素子をターンオンする際、同期整流のターンオン時には、急増したスイッチング素子の入力容量に充電用インダクタンス素子を介して電力供給するため、消費電力が増大するという問題点があった。【０００６】
本願は、上記のような課題を解決するための技術を開示するものであり、スイッチング素子の同期整流のターンオン時における消費電力を低減し、低消費電力で小型のゲート駆動回路を提供することを目的とする。
さらに、このゲート駆動回路を適用した電力変換装置において、電力損失を低減して装置構成の小型化、低コスト化を図る事を目的とする。
【課題を解決するための手段】
【０００７】
本願に開示されるゲート駆動回路は、直流電源から電源供給されてスイッチング素子を駆動するもので、上記スイッチング素子のゲート端子に接続される第１ノードと、上記直流電源の正極と上記第１ノードとの間に接続される第１スイッチング素子と、上記直流電源の負極と上記第１ノードとの間に接続される第２スイッチング素子と、上記第１ノードに第１端子が接続される第１リアクトルと、上記第１ノードに第１端子が接続される第２リアクトルと、上記直流電源の正極と上記第１リアクトルの第２端子との間に接続される第３スイッチング素子と、上記直流電源の負極と上記第２リアクトルの第２端子との間に接続される第４スイッチング素子と、上記直流電源の正極と上記第２リアクトルの上記第２端子との間に接続される第５スイッチング素子と、上記直流電源の負極にアノードが、上記第１リアクトルの上記第２端子にカソードが接続されるダイオードと、上記スイッチング素子への駆動信号に基づいて上記第１〜第５スイッチング素子をスイッチング制御する制御回路とを備えるものである。【０００８】
また本願に開示される電力変換装置は、直流母線間に、２つのスイッチング素子を直列接続して成るレグ１３を少なくとも１つ備え、前記２つのスイッチング素子の接続点からインダンタンス成分を介して負荷に電力供給するもので、上記各スイッチング素子を駆動するために、それぞれ上記ゲート駆動回路を備えるものである。
【発明の効果】
【０００９】
本願に開示されるゲート駆動回路によれば、スイッチング素子の同期整流のターンオン時における消費電力を低減でき、低消費電力で小型のゲート駆動回路が得られる。【００１０】
また本願に開示される電力変換装置によれば、電力損失を低減して装置構成の小型化、低コスト化を実現できる。
【図面の簡単な説明】
【００１１】
【図１】実施の形態１によるゲート駆動回路および電力変換装置の構成を示す図である。
【図２】実施の形態１によるゲート駆動回路の動作を説明する各部の波形図である。
【図３】図２に示す一つの動作期間におけるゲート駆動回路および電力変換装置の電流経路図である。
【図４】図２に示す一つの動作期間におけるゲート駆動回路および電力変換装置の電流経路図である。
【図５】図２に示す一つの動作期間におけるゲート駆動回路および電力変換装置の電流経路図である。
【図６】図２に示す一つの動作期間におけるゲート駆動回路および電力変換装置の電流経路図である。
【図７】図２に示す一つの動作期間におけるゲート駆動回路および電力変換装置の電流経路図である。
【図８】図２に示す一つの動作期間におけるゲート駆動回路および電力変換装置の電流経路図である。
【図９】図２に示す一つの動作期間におけるゲート駆動回路および電力変換装置の電流経路図である。
【図１０】実施の形態１によるゲート駆動回路の動作を説明する各部の波形図である。
【図１１】図１０に示す一つの動作期間におけるゲート駆動回路および電力変換装置の電流経路図である。
【図１２】図１０に示す一つの動作期間におけるゲート駆動回路および電力変換装置の電流経路図である。
【図１３】図１０に示す一つの動作期間におけるゲート駆動回路および電力変換装置の電流経路図である。
【図１４】図１０に示す一つの動作期間におけるゲート駆動回路および電力変換装置の電流経路図である。
【図１５】図１０に示す一つの動作期間におけるゲート駆動回路および電力変換装置の電流経路図である。
【図１６】図１０に示す一つの動作期間におけるゲート駆動回路および電力変換装置の電流経路図である。
【図１７】図１０に示す一つの動作期間におけるゲート駆動回路および電力変換装置の電流経路図である。
【図１８】実施の形態２によるゲート駆動回路および電力変換装置の構成を示す図である。
【図１９】実施の形態３によるゲート駆動回路および電力変換装置の構成を示す図である。
【図２０】実施の形態３によるゲート駆動回路の動作を説明する各部の波形図である。
【図２１】図２０に示す一つの動作期間におけるゲート駆動回路および電力変換装置の電流経路図である。
【図２２】図２０に示す一つの動作期間におけるゲート駆動回路および電力変換装置の電流経路図である。
【図２３】図２０に示す一つの動作期間におけるゲート駆動回路および電力変換装置の電流経路図である。
【図２４】図２０に示す一つの動作期間におけるゲート駆動回路および電力変換装置の電流経路図である。
【図２５】図２０に示す一つの動作期間におけるゲート駆動回路および電力変換装置の電流経路図である。
【図２６】図２０に示す一つの動作期間におけるゲート駆動回路および電力変換装置の電流経路図である。
【図２７】図２０に示す一つの動作期間におけるゲート駆動回路および電力変換装置の電流経路図である。
【図２８】実施の形態４によるゲート駆動回路および電力変換装置の構成を示す図である。
【図２９】実施の形態４における一つの動作期間におけるゲート駆動回路および電力変換装置の電流経路図である。
【図３０】実施の形態４における一つの動作期間におけるゲート駆動回路および電力変換装置の電流経路図である。
【図３１】実施の形態４における一つの動作期間におけるゲート駆動回路および電力変換装置の電流経路図である。
【図３２】実施の形態４における一つの動作期間におけるゲート駆動回路および電力変換装置の電流経路図である。
【発明を実施するための形態】
【００１２】
実施の形態１．
図１は実施の形態１によるゲート駆動回路、およびゲート駆動回路を用いてスイッチング制御される電力変換装置の構成を示す図である。
図１に示すように、ゲート駆動回路ＧＤ１、ＧＤ２は、例えばＭＯＳＦＥＴから成る電圧駆動型のスイッチング素子Ｍ１、Ｍ２を駆動対象として、スイッチング素子Ｍ１、Ｍ２をオン／オフ駆動するものである。
【００１３】
また、電力変換装置１０は、直流母線１１Ａ、１１Ｂ間に、２つのスイッチング素子Ｍ１、Ｍ２を直列接続して成るレグ１３を備え、さらに、各スイッチング素子Ｍ１、Ｍ２を駆動するためにそれぞれゲート駆動回路ＧＤ１、ＧＤ２を備える。そして、２つのスイッチング素子Ｍ１、Ｍ２の接続点から外部のコイルなどのインダンタンス成分Ｌを介して負荷であるバッテリ１２に電力供給する。また、この場合、電力変換装置１０は、直流母線１１Ａ、１１Ｂ間の直流電力とバッテリ１２の直流電力との間で電力変換するＤＣ／ＤＣコンバータとして、バッテリ１２の充放電動作を行う。
スイッチング素子Ｍ１、Ｍ２は、逆並列接続されるダイオードを有する。この場合、スイッチング素子Ｍ１、Ｍ２の寄生ダイオード（ボディダイオード）が用いられるが、別途ダイオードをスイッチング素子Ｍ１、Ｍ２に対してそれぞれ逆並列接続しても良い。
【００１４】
ゲート駆動回路ＧＤ１、ＧＤ２は同様の構成で同様に動作するため、以下、スイッチング素子Ｍ１を駆動するゲート駆動回路ＧＤ１について詳細に説明し、ゲート駆動回路ＧＤ２の説明は省略する。
ゲート駆動回路ＧＤ１は、直流電源３から電源供給されてスイッチング素子Ｍ１をオン／オフ駆動する主回路１と、主回路１を制御する制御回路２とを備える。また、直流電源３の負極は、スイッチング素子Ｍ１のソース端子Ｓに接続される。
なお、この場合、ゲート駆動回路ＧＤ１が直流電源３を備えるものとするが、直流電源３はゲート駆動回路ＧＤ１の外部に設けても良い。
【００１５】
ゲート駆動回路ＧＤ１は、例えばＭＯＳＦＥＴから成る第１〜第５スイッチング素子ＳＷ１〜ＳＷ５と、ダイオードＤ１と、第１、第２リアクトルＬ１、Ｌ２とを備える。
第１スイッチング素子ＳＷ１と第２スイッチング素子ＳＷ２とが直列接続され、その接続点である第１ノードＮ１が、スイッチング素子Ｍ１のゲート端子Ｇに接続される。即ち、第１スイッチング素子ＳＷ１は、直流電源３の正極と第１ノードＮ１との間に接続され、第２スイッチング素子ＳＷ２は、直流電源３の負極と第１ノードＮ１との間に接続される。第３スイッチング素子ＳＷ３は、一端が直流電源３の正極に接続され、他端が第１リアクトルＬ１を介して第１ノードＮ１に接続される。第４スイッチング素子ＳＷ４は、一端が直流電源３の負極に接続され、他端が第２リアクトルＬ２を介して第１ノードＮ１に接続される。
【００１６】
なお、第３スイッチング素子ＳＷ３と第１リアクトルＬ１との接続点を第２ノードＮ２とし、第４スイッチング素子ＳＷ４と第２リアクトルＬ２との接続点を第３ノードＮ３とする。
第５スイッチング素子ＳＷ５は、一端が直流電源３の正極に接続され、他端が、第３ノードＮ３に接続される。ダイオードＤ１は、アノードが直流電源３の負極に接続され、カソードが第２ノードＮ２に接続される。
【００１７】
この実施の形態１では、第１〜第５スイッチング素子ＳＷ１〜ＳＷ５として、寄生ダイオードを有するＭＯＳＦＥＴを用いるが、ダイオードが逆並列接続されたＩＧＢＴを用いても良く、また、ダイオードを逆並列接続したサイリスタまたはＧＴＯ（Ｇａｔｅ  Ｔｕｒｎ−Ｏｆｆ  ｔｈｙｒｉｓｔｏｒ）を用いても良い。
【００１８】
ここで、直流電源３の直流電圧（以下、電源電圧と称す）をＶｄｃ、第１リアクトルＬ１に流れる電流（以下、リアクトル電流と称す）をｉＬ１、第２リアクトルＬ２に流れる電流をｉＬ２とする。また、直流母線１１Ａ、１１Ｂ間の電圧（以下、主電圧と称す）をＶｄｄ、スイッチング素子Ｍ１のゲート端子Ｇ−ソース端子Ｓ間に印加される電圧（以下、ゲート電圧と称す）をＶｇ１、スイッチング素子Ｍ２のゲート電圧をＶｇ２、スイッチング素子Ｍ１のドレイン端子Ｄ−ソース端子Ｓ間に印加される電圧（以下、ドレイン電圧と称す）をＶｄｓ１、スイッチング素子Ｍ２のドレイン電圧をＶｄｓ２、スイッチング素子Ｍ１のドレイン端子Ｄに流れる電流（以下、ドレイン電流と称す）をＩｄ１、スイッチング素子Ｍ２のドレイン電流をIｄ２、インダクタンス成分Ｌに流れる電流をＩＬとする。
また、第１〜第５スイッチング素子ＳＷ１〜ＳＷ５の駆動信号をＧＳＷ１、ＧＳＷ２、ＧＳＷ３、ＧＳＷ４、ＧＳＷ５とし、マイコン等の上位制御装置から送信されるスイッチング素子Ｍ１、Ｍ２への駆動信号であるオン指令信号をＳｉｎ１、Ｓｉｎ２とする。
【００１９】
制御回路２は、オン指令信号Ｓｉｎ１、スイッチング素子Ｍ１、Ｍ２のドレイン電流Ｉｄ１、Ｉｄ２、インダクタンス成分Ｌに流れる電流ＩＬによる電流情報、スイッチング素子Ｍ１、Ｍ２のドレイン電圧Ｖｄｓ１、Ｖｄｓ２による電圧情報が入力され、第１〜第５スイッチング素子ＳＷ１〜ＳＷ５の駆動信号ＧＳＷ１〜ＧＳＷ５を生成して出力する。
なお、上記電流情報、電圧情報のいずれか一方のみ制御回路２に入力しても良い。
【００２０】
便宜上、第１リアクトルＬ１のインダクタンスの値をＬ１、第２リアクトルＬ２のインダクタンスの値をＬ２とする。この場合、インダクタンスＬ１よりもインダクタンスＬ２は大きく設定される。
一般的に、スイッチング素子Ｍ１のドレイン端子Ｄ−ソース端子Ｓ間に、直流母線１１Ａ、１１Ｂ間の主電圧Ｖｄｄが印加される際のスイッチング損失が小さくなるように、インダクタンスＬ１、Ｌ２は小さく設定される。
【００２１】
しかしながら、ターンオン時のスイッチング損失が小さくなると、スイッチング素子Ｍ１に直接接続されるスイッチング素子Ｍ２のリカバリサージ電圧が高くなり、スイッチング素子Ｍ２の絶縁の劣化が進み絶縁破壊を引き起こすことがある。また、ターンオフ時のスイッチング損失についても、スイッチング損失が小さくなるとスイッチング素子Ｍ１のターンオフサージ電圧が高くなり、スイッチング素子Ｍ１の絶縁の劣化が進み絶縁破壊を引き起こすことがある。このため、これらサージ電圧がスイッチング素子Ｍ１、Ｍ２の耐圧を超えないように、インダクタンスＬ１、Ｌ２が設定される。
【００２２】
次に、ゲート駆動回路ＧＤ１の動作を図２に基づいて説明する。この場合、スイッチング素子Ｍ１は、同期整流によりターンオンし、その後ターンオフする。
図２は、スイッチング素子Ｍ１が同期整流する場合における、駆動周期Ｔの１周期分の各部の波形図を示す。
図２に示すように、時刻ｔ０〜ｔ６にて１周期が７つの動作期間Ｔ１〜Ｔ７に分割される。各動作期間Ｔ１〜Ｔ７における電流経路を図３〜図９に示す。
【００２３】
第１スイッチング素子ＳＷ１がオン状態で第２〜第５スイッチング素子ＳＷ２〜ＳＷ５がオフ状態である動作期間Ｔ３をスイッチング素子Ｍ１のオン固定期間と称す。また、第２スイッチング素子ＳＷ２がオン状態で第１、第３〜第５スイッチング素子ＳＷ１、ＳＷ３〜ＳＷ５がオフ状態である動作期間Ｔ６、Ｔ７、Ｔ１をスイッチング素子Ｍ１のオフ固定期間と称す。
この場合、オフ固定期間からオン固定期間に至る動作を示す動作期間Ｔ１〜Ｔ３をターンオンする期間とする。また、オン固定期間からオフ固定期間に至る動作を示す動作期間Ｔ４〜Ｔ７をターンオフする期間とする。
【００２４】
なお、スイッチング素子のオン、オフと記載するときは、スイッチオン、スイッチオフの意味であり、スイッチング素子のオフの場合には、スイッチング素子の寄生ダイオードがオンしてスイッチング素子のソース端子Ｓからドレイン端子Ｄに流れる場合が含まれる。
また、スイッチング素子Ｍ１、Ｍ２の寄生ダイオードの順方向電圧をＶｆ１、Ｖｆ２とし、電力変換装置１０からインダクタンス成分Ｌに流れる電流ＩＬの絶対値をＩｄとする。
【００２５】
時刻ｔ０〜ｔ１の動作期間Ｔ１は、スイッチング素子Ｍ２のオン指令信号Ｓｉｎ２がＨｉからＬｏに変化した後にスイッチング素子Ｍ１のオン指令信号Ｓｉｎ１がＬｏからＨｉになる前の期間であり、通常、スイッチング素子Ｍ１、Ｍ２の同時オンを防止する短絡防止期間である。また、動作期間Ｔ１は、スイッチング素子Ｍ１のオフ固定期間であると共に、スイッチング素子Ｍ１の状態を判定する判定期間である。
この動作期間Ｔ１では、スイッチング素子Ｍ１はオフ状態を継続しているが、オン指令信号Ｓｉｎ２の変化により時刻ｔ０にてスイッチング素子Ｍ２がオフすると、インダクタンス成分Ｌは電流を継続して流すように作用するため、スイッチング素子Ｍ１の寄生ダイオードがオンする。即ち、スイッチング素子Ｍ１は寄生ダイオードを介して電流が流れるダイオード整流の状態になる（図３）。
【００２６】
このダイオード整流の状態では、電流ＩＬおよびドレイン電流Ｉｄ１は、絶対値がＩｄに等しく、スイッチング素子Ｍ２のドレイン電流Ｉｄ２はゼロになる。また、ドレイン電圧Ｖｄｓ１は−Ｖｆ１に、スイッチング素子Ｍ２のドレイン電圧Ｖｄｓ２はＶｄｄ＋Ｖｆ１にそれぞれ変化する。
制御回路２では、スイッチング素子Ｍ１の状態がダイオード整流であるか否かを判定する。判定は、オン指令信号Ｓｉｎ１とスイッチング素子Ｍ１、Ｍ２のドレイン電流Ｉｄ１、Ｉｄ２、インダクタンス成分Ｌの電流ＩＬによる電流情報とに基づいて行う。このように、制御回路２は、オン指令信号Ｓｉｎ１と３種の電流情報により高精度にダイオード整流であるか否かを判定することができる。
この場合、制御回路２は、スイッチング素子Ｍ１の状態を、ダイオード整流であると判定する。
【００２７】
なお、制御回路２は、オン指令信号Ｓｉｎ１とスイッチング素子Ｍ１、Ｍ２のドレイン電圧Ｖｄｓ１、Ｖｄｓ２による電圧情報とに基づいて、スイッチング素子Ｍ１の状態がダイオード整流であるか否かを判定しても良い。その場合、電流情報を用いる場合よりパラメータが少なく制御が簡素化できる。
また、一般的に、寄生ダイオードの順方向電圧Ｖｆ１は数ボルト、主電圧Ｖｄｄは数百ボルトであり、２つのドレイン電圧Ｖｄｓ１、Ｖｄｓ２は大きく異なるため、スイッチング素子Ｍ１の状態がダイオード整流であるか否かの判定を容易に行うことができる。
【００２８】
次に、時刻ｔ１〜ｔ２の動作期間Ｔ２は、スイッチング素子Ｍ１のゲート端子Ｇを充電するゲート充電期間である。
時刻ｔ１にてスイッチング素子Ｍ１のオン指令信号Ｓｉｎ１がＬｏからＨｉに変化すると、第２スイッチング素子ＳＷ２がオフしてスイッチング素子Ｍ２のオン固定期間を終了すると共に、スイッチング素子Ｍ１の状態がダイオード整流であることの判定を受けて、第５スイッチング素子ＳＷ５を第１設定時間ｔａだけオンする。これにより、動作期間Ｔ２では、直流電源３の正極から第５スイッチング素子ＳＷ５を介して第２リアクトルＬ２に電流が流れ込む。そして、その電流は、第２リアクトルＬ２からスイッチング素子Ｍ１のゲート端子Ｇへ流れる（図４）。
【００２９】
この動作により、ゲート端子Ｇは第２リアクトルＬ２を介して充電され、ゲート電圧Ｖｇ１は正方向に増加する。ゲート電圧Ｖｇ１が閾値電圧を超えるとスイッチング素子Ｍ１がオンし、スイッチング素子Ｍ１の寄生ダイオードに流れていた電流は、スイッチング素子Ｍ１本体を流れるように変化してソース端子Ｓからドレイン端子Ｄへ流れる。これにより、ドレイン電圧Ｖｄｓ１は−Ｖｆ１からゼロに変化し、スイッチング素子Ｍ２のドレイン電圧Ｖｄｓ２はＶｄｄ＋Ｖｆ１からＶｄｄに変化する。
【００３０】
次に、時刻ｔ２〜ｔ３の動作期間Ｔ３は、スイッチング素子Ｍ１のオン状態を継続するオン固定期間である。
時刻ｔ２にて、第５スイッチング素子ＳＷ５をオフすると共に、第１スイッチング素子ＳＷ１をオンする。この時、ゲート電圧Ｖｇ１が電源電圧Ｖｄｃ未満の場合、直流電源３の正極から第１スイッチング素子ＳＷ１を介してゲート端子Ｇに電流が流れ込む。その後、ゲート電圧Ｖｇ１が電源電圧Ｖｄｃと等しくなると、電流の流れは停止し、スイッチング素子Ｍ１はオン状態を継続する。このとき、スイッチング素子Ｍ１に流れる電流は、スイッチング素子Ｍ１本体を流れてソース端子Ｓからドレイン端子Ｄへ流れ続ける（図５）。
スイッチング素子Ｍ１がオンしてソース端子Ｓからドレイン端子Ｄへ電流を流す同期整流は、ダイオード整流に比して導通損失を低減できる。
【００３１】
次に、時刻ｔ３〜ｔ４の動作期間Ｔ４は、第２リアクトルＬ２を励磁する励磁期間である。
時刻ｔ３にてスイッチング素子Ｍ１のオン指令信号Ｓｉｎ１がＨｉからＬｏに変化すると、第１スイッチング素子ＳＷ１がオフしてスイッチング素子Ｍ１のオン固定期間を終了すると共に、第４スイッチング素子ＳＷ４を第３設定時間ｔｂだけオンする。これにより、動作期間Ｔ４では、電流はスイッチング素子Ｍ１のゲート端子Ｇから第２リアクトルＬ２を介して第４スイッチング素子ＳＷ４に流れ込む（図６）。
【００３２】
この電流経路により、第２リアクトルＬ２とスイッチング素子Ｍ１の入力容量との間で共振動作が生じ、スイッチング素子Ｍ１のゲート蓄積電荷によるエネルギによって第２リアクトルＬ２は励磁される。その結果、ゲート電圧Ｖｇ１はゼロに向けて減少し、第２リアクトルＬ２の電流ｉＬ２は正方向に増加する。
なお、ゲート電圧Ｖｇ１の極性が負になることはない。仮に負になっても第２スイッチング素子ＳＷ２の寄生ダイオードがオンして、ゲート電圧Ｖｇ１はゼロにクランプされる。また、ゲート電圧Ｖｇ１が閾値電圧以下になると、スイッチング素子Ｍ１はオフし、ダイオード整流の状態に移行する。
【００３３】
次に、時刻ｔ４〜ｔ５の動作期間Ｔ５は、第２リアクトルＬ２の蓄積エネルギを直流電源３に回生する回生期間である。
時刻ｔ４にて、第４スイッチング素子ＳＷ４がオフすると共に、第５スイッチング素子ＳＷ５を第４設定時間ｔｃだけオンする。第２リアクトルＬ２は、電流を継続して流すように作用するため、この動作期間Ｔ５では、電流は第２リアクトルＬ２から第５スイッチング素子ＳＷ５を介して直流電源３の正極に流れ込む。そして、直流電源３の負極から第２スイッチング素子ＳＷ２の寄生ダイオードを介して第２リアクトルＬ２に帰還する。そして、第２リアクトルＬ２に流れる電流ｉＬ２はゼロに近づいて行く。また、スイッチング素子Ｍ１は、ダイオード整流の状態を継続する（図７）。
【００３４】
また、スイッチング素子Ｍ１がダイオード整流の状態であるため、ドレイン電圧Ｖｄｓ１は−Ｖｆ１になり、スイッチング素子Ｍ２のドレイン電圧Ｖｄｓ２はＶｄｄ＋Ｖｆ１となる。
この電流経路により、動作期間Ｔ５では、第２リアクトルＬ２の蓄積エネルギを直流電源３に回生する。即ち、動作期間Ｔ４および動作期間Ｔ５において、スイッチング素子Ｍ１のゲート蓄積電荷によるエネルギは、第２リアクトルＬ２によって直流電源３に回生される。
なお、この動作期間Ｔ５において、電流は第２スイッチング素子ＳＷ２の寄生ダイオードを通過しているが、第２スイッチング素子ＳＷ２をオンさせて第２スイッチング素子ＳＷ２本体を流れるようにしても良い。その場合、導通損失が低減される。
【００３５】
次に、時刻ｔ５〜ｔ６の動作期間Ｔ６は、スイッチング素子Ｍ１のオフ固定期間である。
時刻ｔ５にて、第５スイッチング素子ＳＷ５がオフすると共に、第２スイッチング素子ＳＷ２をオンする。仮に、スイッチング素子Ｍ１のゲート蓄積電荷が残留していた場合、スイッチング素子Ｍ１のゲート端子Ｇから第２スイッチング素子ＳＷ２を介してスイッチング素子Ｍ１のソース端子Ｓに電流が流れる（図８）。
この電流経路により、動作期間Ｔ５では、ゲート電圧Ｖｇ１はゼロに固定され、スイッチング素子Ｍ１はオフを継続する。
【００３６】
次に、時刻ｔ６〜ｔ０の動作期間Ｔ７は、引き続き、スイッチング素子Ｍ１のオフ固定期間である。
時刻ｔ６にて、スイッチング素子Ｍ２のオン指令信号Ｓｉｎ２がＬｏからＨｉに変化すると、スイッチング素子Ｍ２のゲート端子Ｇは充電されてオンする。その結果、スイッチング素子Ｍ２のドレイン端子Ｄからソース端子Ｓへ流れる電流は、インダクタンス成分Ｌへ流れ込む（図９）。
この動作期間Ｔ７では、スイッチング素子Ｍ１の寄生ダイオードはオフするため、スイッチング素子Ｍ１のドレイン電圧Ｖｄｓ１は、−Ｖｆ１からＶｄｄへ変化する。一方、スイッチング素子Ｍ２のドレイン電圧Ｖｄｓ２は、Ｖｄｄ＋Ｖｆ１からゼロに変化する。
【００３７】
以上のように、スイッチング素子Ｍ１は、同期整流によるターンオンと、ターンオフとを繰り返す。この場合、電力変換装置１０は、直流母線１１Ａ、１１Ｂ間の直流電力からバッテリ１２に電力供給する。
【００３８】
次に、スイッチング素子Ｍ１が同期整流ではなく、オン時にドレイン端子Ｄからソース端子Ｓに電流を流す場合について、以下に説明する。以下、同期整流ではないオン動作を通常オンと称す。
図１０は、スイッチング素子Ｍ１が通常オンする場合における、駆動周期Ｔの１周期分のゲート駆動回路ＧＤ１内の各部の波形図を示す。
図１０に示すように、時刻ｓ０〜ｓ６にて１周期が７つの動作期間Ｓ１〜Ｓ７に分割される。各動作期間Ｓ１〜Ｓ７における電流経路を図１１〜図１７に示す。
【００３９】
図２で示した場合と同様に、第１スイッチング素子ＳＷ１がオン状態で第２〜第５スイッチング素子ＳＷ２〜ＳＷ５がオフ状態である動作期間Ｓ３がスイッチング素子Ｍ１のオン固定期間である。また、第２スイッチング素子ＳＷ２がオン状態で第１、第３〜第５スイッチング素子ＳＷ１、ＳＷ３〜ＳＷ５がオフ状態である動作期間Ｓ６、Ｓ７、Ｓ１がスイッチング素子Ｍ１のオフ固定期間である。
またこの場合、オフ固定期間からオン固定期間に至る動作を示す動作期間Ｓ１〜Ｓ３をターンオンする期間とする。また、オン固定期間からオフ固定期間に至る動作を示す動作期間Ｓ４〜Ｓ７をターンオフする期間とする。
【００４０】
時刻ｓ０〜ｓ１の動作期間Ｓ１は、スイッチング素子Ｍ２のオン指令信号Ｓｉｎ２がＨｉからＬｏに変化した後にスイッチング素子Ｍ１のオン指令信号Ｓｉｎ１がＬｏからＨｉになる前の期間であり、通常、スイッチング素子Ｍ１、Ｍ２の同時オンを防止する短絡防止期間である。また、動作期間Ｓ１は、スイッチング素子Ｍ１のオフ固定期間であると共に、スイッチング素子Ｍ１の状態を判定する判定期間である。
この動作期間Ｓ１では、スイッチング素子Ｍ１はオフ状態を継続している。オン指令信号Ｓｉｎ２の変化により時刻ｓ０にてスイッチング素子Ｍ２がオフすると、インダクタンス成分Ｌは電流を継続して流すように作用するため、スイッチング素子Ｍ２の寄生ダイオードがオンして、スイッチング素子Ｍ２の寄生ダイオードを介して電流が流れる。スイッチング素子Ｍ１の寄生ダイオードには電流が流れない（図１１）。
【００４１】
この状態では、電流ＩＬおよびスイッチング素子Ｍ２のドレイン電流Ｉｄ２は、絶対値がＩｄに等しく、スイッチング素子Ｍ１のドレイン電流Ｉｄ１はゼロになる。また、スイッチング素子Ｍ２の寄生ダイオードがオンすることで、スイッチング素子Ｍ２のドレイン電圧Ｖｄｓ２は−Ｖｆ２に、スイッチング素子Ｍ１のドレイン電圧Ｖｄｓ１はＶｄｄ＋Ｖｆ２にそれぞれ変化する。
【００４２】
制御回路２では、スイッチング素子Ｍ１の状態がダイオード整流であるか否かを判定する。判定の手法は、上述したように、オン指令信号Ｓｉｎ１とスイッチング素子Ｍ１、Ｍ２のドレイン電流Ｉｄ１、Ｉｄ２、インダクタンス成分Ｌの電流ＩＬによる電流情報とに基づいて行う。あるいは、オン指令信号Ｓｉｎ１とスイッチング素子Ｍ１、Ｍ２のドレイン電圧Ｖｄｓ１、Ｖｄｓ２による電圧情報とに基づいて行う。
そしてこの場合、制御回路２は、スイッチング素子Ｍ１の状態を、ダイオード整流でないと判定する。
【００４３】
次に、時刻ｓ１〜ｓ２の動作期間Ｓ２は、スイッチング素子Ｍ１のゲート端子Ｇを充電するゲート充電期間である。
時刻ｓ１にてスイッチング素子Ｍ１のオン指令信号Ｓｉｎ１がＬｏからＨｉに変化すると、第２スイッチング素子ＳＷ２がオフしてスイッチング素子Ｍ２のオン固定期間を終了すると共に、スイッチング素子Ｍ１の状態がダイオード整流でないことの判定を受けて、第３スイッチング素子ＳＷ３を第２設定時間ｔａ１だけオンする。これにより、動作期間Ｓ２では、直流電源３の正極から第３スイッチング素子ＳＷ３を介して第１リアクトルＬ１に電流が流れ込む。そして、その電流は、第１リアクトルＬ１からスイッチング素子Ｍ１のゲート端子Ｇへ流れる（図１２）。
【００４４】
この動作により、ゲート端子Ｇは第１リアクトルＬ１を介して充電され、ゲート電圧Ｖｇ１は正方向に増加する。ゲート電圧Ｖｇ１が閾値電圧を超えるとスイッチング素子Ｍ１がオンし、スイッチング素子Ｍ１のドレイン端子Ｄからソース端子Ｓに電流が流れ、スイッチング素子Ｍ１のドレイン電流Ｉｄ１はゼロからＩｄに変化する。また、ドレイン電圧Ｖｄｓ１はＶｄｄ＋Ｖｆ２からゼロに変化し、スイッチング素子Ｍ２のドレイン電圧Ｖｄｓ２はＶｄｄに変化する。
【００４５】
次に、時刻ｓ２〜ｓ３の動作期間Ｓ３は、スイッチング素子Ｍ１のオン状態を継続するオン固定期間である。
時刻ｓ２にて、第３スイッチング素子ＳＷ３をオフすると共に、第１スイッチング素子ＳＷ１をオンする。この時、ゲート電圧Ｖｇ１が電源電圧Ｖｄｃ未満の場合、直流電源３の正極から第１スイッチング素子ＳＷ１を介してゲート端子Ｇに電流が流れ込む。その後、ゲート電圧Ｖｇ１が電源電圧Ｖｄｃと等しくなると、電流の流れは停止し、スイッチング素子Ｍ１はオン状態を継続する。スイッチング素子Ｍ１では、ドレイン端子Ｄからソース端子Ｓへ電流が流れ続ける（図１３）。
【００４６】
次に、時刻ｓ３〜ｓ４の動作期間Ｓ４は、第２リアクトルＬ２を励磁する励磁期間である。
時刻ｓ３にてスイッチング素子Ｍ１のオン指令信号Ｓｉｎ１がＨｉからＬｏに変化すると、第１スイッチング素子ＳＷ１がオフしてスイッチング素子Ｍ１のオン固定期間を終了すると共に、第４スイッチング素子ＳＷ４を第３設定時間ｔｂだけオンする。これにより、動作期間Ｓ４では、電流はスイッチング素子Ｍ１のゲート端子Ｇから第２リアクトルＬ２を介して第４スイッチング素子ＳＷ４に流れ込む（図１４）。
【００４７】
この電流経路により、第２リアクトルＬ２とスイッチング素子Ｍ１の入力容量との間で共振動作が生じ、スイッチング素子Ｍ１のゲート蓄積電荷によるエネルギによって第２リアクトルＬ２は励磁される。その結果、ゲート電圧Ｖｇ１はゼロに向けて減少し、第２リアクトルＬ２の電流ｉＬ２は正方向に増加する。
なお、ゲート電圧Ｖｇ１の極性が負になることはない。仮に負になっても第２スイッチング素子ＳＷ２の寄生ダイオードがオンして、ゲート電圧Ｖｇ１はゼロにクランプされる。
【００４８】
また、ゲート電圧Ｖｇ１が閾値電圧以下になると、スイッチング素子Ｍ１はオフし、インダクタンス成分Ｌは電流を継続して流すように作用するため、スイッチング素子Ｍ２の寄生ダイオードがオンする。その結果、スイッチング素子Ｍ１のドレイン電流Ｉｄ１は、Ｉｄからゼロに変化し、スイッチング素子Ｍ２のドレイン電流Ｉｄ２は、ゼロから−Ｉｄに変化する。
【００４９】
次に、時刻ｓ４〜ｓ５の動作期間Ｓ５は、第２リアクトルＬ２の蓄積エネルギを直流電源３に回生する回生期間である。
時刻ｓ４にて、第４スイッチング素子ＳＷ４がオフすると共に、第５スイッチング素子ＳＷ５を第４設定時間ｔｃだけオンする。第２リアクトルＬ２は、電流を継続して流すように作用するため、この動作期間Ｓ５では、電流は第２リアクトルＬ２から第５スイッチング素子ＳＷ５を介して直流電源３の正極に流れ込む。そして、直流電源３の負極から第２スイッチング素子ＳＷ２の寄生ダイオードを介して第２リアクトルＬ２に帰還する。
また、スイッチング素子Ｍ１のドレイン電流Ｉｄ１は０を継続し、スイッチング素子Ｍ２では、寄生ダイオードのオン状態が継続してドレイン電流Ｉｄ２が流れる（図１５）。
【００５０】
この電流経路により、動作期間Ｓ５では、第２リアクトルＬ２の蓄積エネルギを直流電源３に回生する。即ち、動作期間Ｓ４および動作期間Ｓ５において、スイッチング素子Ｍ１のゲート蓄積電荷によるエネルギは、第２リアクトルＬ２によって直流電源３に回生される。
なお、この動作期間Ｓ５において、電流は第２スイッチング素子ＳＷ２の寄生ダイオードを通過しているが、第２スイッチング素子ＳＷ２をオンさせて第２スイッチング素子ＳＷ２本体を流れるようにしても良い。その場合、導通損失が低減される。
【００５１】
次に、時刻ｓ５〜ｓ６の動作期間Ｓ６は、スイッチング素子Ｍ１のオフ固定期間である。
時刻ｓ５にて、第５スイッチング素子ＳＷ５がオフすると共に、第２スイッチング素子ＳＷ２をオンする。仮に、スイッチング素子Ｍ１のゲート蓄積電荷が残留していた場合、スイッチング素子Ｍ１のゲート端子Ｇから第２スイッチング素子ＳＷ２を介してスイッチング素子Ｍ１のソース端子Ｓに電流が流れる（図１６）。
この電流経路により、動作期間Ｓ６では、ゲート電圧Ｖｇ１はゼロに固定され、スイッチング素子Ｍ１はオフを継続する。
【００５２】
次に、時刻ｓ６〜ｓ０の動作期間Ｓ７は、引き続き、スイッチング素子Ｍ１のオフ固定期間である。
時刻ｓ６にて、スイッチング素子Ｍ２のオン指令信号Ｓｉｎ２がＬｏからＨｉに変化すると、スイッチング素子Ｍ２のゲート端子Ｇは充電されてオンする。その結果、スイッチング素子Ｍ２の寄生ダイオードに流れていた電流は、スイッチング素子Ｍ２本体を流れるように変化してソース端子Ｓからドレイン端子Ｄへ流れる（図１７）。
これにより、ドレイン電圧Ｖｄｓ１はＶｄｄ＋Ｖｆ２からＶｄｄに変化し、スイッチング素子Ｍ２のドレイン電圧Ｖｄｓ２は−Ｖｆ２からゼロに変化する。
【００５３】
以上のように、スイッチング素子Ｍ１は、通常オンによるターンオンと、ターンオフとを繰り返す。この場合、電力変換装置１０は、バッテリ１２の直流電力を直流母線１１Ａ、１１Ｂ間に伝送する。
なお、スイッチング素子Ｍ１が、通常オンによるターンオンとターンオフとを繰り返してバッテリ１２が放電される場合、スイッチング素子Ｍ２は、同期整流によるターンオンと、ターンオフとを繰り返す動作となる。また、スイッチング素子Ｍ１が、同期整流によるターンオンとターンオフとを繰り返してバッテリ１２が充電される場合、スイッチング素子Ｍ２は、通常オンによるターンオンと、ターンオフとを繰り返す動作となる。
【００５４】
この実施の形態によるゲート駆動回路ＧＤ１では、スイッチング素子Ｍ１のゲート端子Ｇに接続される第１ノードＮ１に第１リアクトルＬ１の第１端子と第２リアクトルＬ２の第１端子とが接続される。第１リアクトルＬ１の第２端子は第３スイッチング素子ＳＷ３を介して直流電源３の正極に接続される。第２リアクトルＬ２の第２端子は第４スイッチング素子ＳＷ４を介して直流電源３の負極に接続されると共に、第５スイッチング素子ＳＷ５を介して直流電源３の正極に接続される。
【００５５】
ゲート駆動回路ＧＤ１がスイッチング素子Ｍ１をターンオンする際、充電用インダクタンス素子を介してゲート端子Ｇを充電、即ちスイッチング素子Ｍ１の入力容量を充電する。その後、第１スイッチング素子ＳＷ１をオンしてゲート電圧Ｖｇ１を固定する。
また、ゲート駆動回路ＧＤ１がスイッチング素子Ｍ１をターンオフする際、スイッチング素子Ｍ１の入力容量の充電エネルギは、放電用インダクタンス素子を介して放電され、その後、第２スイッチング素子ＳＷ２をオンしてゲート電圧Ｖｇ１を０に固定する。
【００５６】
この実施の形態では、第２リアクトルＬ２と直流電源３の正極との間に第５スイッチング素子ＳＷ５を設けたため、放電用インダクタンス素子である第２リアクトルＬ２を充電用インダクタンス素子としても利用できる。即ち、放電用インダクタンス素子は第２リアクトルＬ２であり、充電用インダクタンス素子として第１リアクトルＬ１と第２リアクトルＬ２との双方が利用できる。
【００５７】
なお、第２リアクトルＬ２は、スイッチング素子Ｍ１のターンオフ時における電力回生に用いられる放電用インダクタンス素子であり、第１リアクトルＬ１よりもインダクタンス値が高く設定される。
【００５８】
また、ゲート駆動回路ＧＤ１は、第１スイッチング素子ＳＷ１をオンしてスイッチング素子Ｍ１のオン状態を継続するオン固定期間Ｔ３、Ｓ３に先だって、スイッチング素子Ｍ１のゲート端子Ｇを充電するゲート充電期間Ｔ２、Ｓ２と、スイッチング素子Ｍ１の状態がダイオード整流であるか否かを判定する判定期間Ｔ１、Ｓ１とを有してスイッチング素子Ｍ１をターンオンする。
そして、判定期間Ｔ１において、スイッチング素子Ｍ１の状態がダイオード整流であると判定されると、続くゲート充電期間Ｔ２では、第５スイッチング素子ＳＷ５をオンして第２リアクトルＬ２を介してゲート端子Ｇを充電する。また、判定期間Ｓ１において、スイッチング素子Ｍ１の状態がダイオード整流でないと判定されると、続くゲート充電期間Ｓ２では、第３スイッチング素子ＳＷ３をオンして第１リアクトルＬ１を介してゲート端子Ｇを充電する。
【００５９】
ところで、スイッチング素子は、印加電圧に応じて入力容量が変動し、例えば印加電圧が数ボルトの場合は、印加電圧が数百ボルトの場合に比べて入力容量が数十倍大きい事が広く知られている。スイッチング素子の寄生ダイオードが整流している時、ドレイン電圧は数ボルトの−Ｖｆになるため、スイッチング素子の入力容量は、スイッチング素子に高電圧、例えば主電圧Ｖｄｄが印加されている時より格段と大きくなる。
【００６０】
この実施の形態では、スイッチング素子Ｍ１がダイオード整流している時に、ゲート充電期間Ｔ２において第５スイッチング素子ＳＷ５を第１設定時間ｔａだけオンし、第２リアクトルＬ２を介してスイッチング素子Ｍ１の入力容量Ｃｉｓｓを充電する。
第２リアクトルＬ２を介して入力容量Ｃｉｓｓを充電する際の電流ｉＬ２は、三角関数を用いて以下の式（１）で表せる。なお、第２リアクトルＬ２を流れる電流ｉＬ２は、電力回生時に直流電源３に流れる電流方向を正方向としている。
【００６１】
【数１】
2019202862.tif 000003
【００６２】
この場合、第１リアクトルＬ１よりもインダクタンス値が高い第２リアクトルＬ２を介してスイッチング素子Ｍ１の入力容量Ｃｉｓｓを充電する。このように、入力容量Ｃｉｓｓの増加に伴って、高いインダクタンスＬ２を用いて入力容量Ｃｉｓｓを充電するため、充電電流（−ｉＬ２）が抑制され、ゲート駆動回路ＧＤ１の導通損失が低減し消費電力の低減が可能になる。
仮に、スイッチング素子Ｍ１の寄生ダイオードが整流している時に、第１リアクトルＬ１を介してスイッチング素子Ｍ１の入力容量Ｃｉｓｓを充電したとする。この場合、充電電流の最大値および導通時間が増加して、ゲート駆動回路ＧＤ１の導通損失およびスイッチング損失が増加し消費電力の増加につながる。
【００６３】
このように、この実施の形態によるゲート駆動回路ＧＤ１は、スイッチング素子Ｍ１の同期整流のターンオン時における消費電力を低減でき、低消費電力で小型の回路構成が得られる。
さらに、第２リアクトルＬ２と直流電源３の正極との間に設けられた第５スイッチング素子ＳＷ５は、電力回生時に利用することで損失低減を図れる。即ち、第２リアクトルＬ２の蓄積エネルギを直流電源３に回生する回生期間Ｔ５、Ｓ５に第５スイッチング素子ＳＷ５をオンすることにより、導通損失を低減して消費電力を低減できる。
【００６４】
また、各スイッチング素子Ｍ１、Ｍ２のゲート駆動回路ＧＤ１、ＧＤ２の消費電力が低減できるため、電力変換装置１０の電力損失を低減して装置構成の小型化、低コスト化を実現できる。
【００６５】
ところで、一般的なＳｉ（Ｓｉｌｉｃｏｎ）素子のダイオードは順方向から逆方向に切り替わる瞬間、即ちリカバリ時に大きな過渡電流が流れ、比較的高いリカバリサージが発生する。これは順方向通電時にドリフト層内に蓄積した少数キャリアが、消滅するまでの期間に電気伝導に寄与してしまうためである。
一方、近年のスイッチング素子の発展により、例えば高周波動作が可能なＳｉＣ素子のダイオードは電気伝導に使用しない多数キャリアであるため、原理的に少数キャリアの蓄積が発生しない。このため、ＳｉＣ素子のダイオードでは、リカバリ時に接合容量を放電する程度の小さな電流が流れるのみで、リカバリサージ電圧を大幅に低減できる。
【００６６】
従って、スイッチング素子Ｍ１、Ｍ２（逆並列ダイオードを含む）にＳｉＣ素子を用いると、Ｓｉ素子の場合と比較してターンオン時のリカバリサージ電圧を大幅に低減できる。これは、例えばスイッチング素子Ｍ１のターンオン時に、スイッチング素子Ｍ１に直接接続されるスイッチング素子Ｍ２に発生するリカバリサージ電圧が大幅に低減される事による。
これに対してターンオフ時のサージ電圧は、Ｓｉ素子およびＳｉＣ素子の違いに依らず、スイッチング素子本体に流れる電流の増加に伴って増加することが広く知られている。
【００６７】
このため、スイッチング素子Ｍ１、Ｍ２（逆並列ダイオードを含む）にＳｉＣ素子を用いると、Ｓｉ素子の場合と比較して第１リアクトルＬ１のインダクタンスＬ１を小さく設定することが可能となる。なお、第２リアクトルＬ２については、インダクタンスＬ２を、Ｓｉ素子およびＳｉＣ素子に依らずサージ電圧がスイッチング素子Ｍ１、Ｍ２の耐圧を超えないように設定する。
【００６８】
この実施の形態では、インダクタンスＬ２がインダクタンスＬ１より高く設定される。このため、ターンオン時のリカバリサージ電圧を低減できてインダクタンスＬ１を小さく設定できるＳｉＣ素子を、スイッチング素子Ｍ１、Ｍ２に効果的に適用できて、上述した効果、即ち、ゲート駆動回路ＧＤ１の消費電力低減化が効果的に図れる。
【００６９】
なお、ゲート充電期間Ｔ２において第５スイッチング素子ＳＷ５がオンする第１設定時間ｔａは、充電によりゲート電圧Ｖｇ１が電源電圧Ｖｄｃ以上になるように設定するのが望ましい。この場合、直流電源３の負極がスイッチング素子Ｍ１のソース端子Ｓに接続されているため、電源電圧Ｖｄｃは直流電源３の正極とソース端子Ｓとの間の電圧に等しい。これにより、続くオン固定期間Ｔ３において、直流電源３の正極から第１スイッチング素子ＳＷ１を介してゲート端子Ｇに突入電流が流れ込むのを防止できる。
【００７０】
この場合、ゲート電圧Ｖｇ１が電源電圧Ｖｄｃ以上になると、第１スイッチング素子ＳＷ１の寄生ダイオードと第４スイッチング素子ＳＷ４の寄生ダイオードとがオンする。これにより、第２リアクトルＬ２から第１スイッチング素子ＳＷ１の寄生ダイオードを介して直流電源３の正極に電流が流れる。そして、その電流は直流電源３の負極から第４スイッチング素子ＳＷ４の寄生ダイオードを介して第２リアクトルＬ２に帰還する。この電流経路により、ゲート電圧Ｖｇ１は電源電圧Ｖｄｃにクランプされる。その結果、スイッチング素子Ｍ１のゲート電圧Ｖｇ１が過電圧になることが防止できる。
このように、ゲート電圧Ｖｇ１が電源電圧Ｖｄｃ以上になるように第１設定時間ｔａを設定することにより、続くオン固定期間Ｔ３に効率良く繋いでスイッチング素子Ｍ１のオン状態を継続させることができ、ゲート駆動回路ＧＤ１の消費電力の低減を実現できる。
【００７１】
また、スイッチング素子Ｍ１が通常オンする場合においても同様に、ゲート充電期間Ｓ２において第３スイッチング素子ＳＷ３がオンする第２設定時間ｔａ１は、充電によりゲート電圧Ｖｇ１が電源電圧Ｖｄｃ以上になるように設定するのが望ましい。これにより、続くオン固定期間Ｓ３において、直流電源３の正極から第１スイッチング素子ＳＷ１を介してゲート端子Ｇに突入電流が流れ込むのを防止できる。
【００７２】
この場合、ゲート電圧Ｖｇ１が電源電圧Ｖｄｃ以上になると、第１スイッチング素子ＳＷ１の寄生ダイオードとダイオードＤ１とがオンする。これにより、第１リアクトルＬ１から第１スイッチング素子ＳＷ１の寄生ダイオードを介して直流電源３の正極に電流が流れる。そして、その電流は直流電源３の負極からダイオードＤ１を介して第１リアクトルＬ１に帰還する。この電流経路により、ゲート電圧Ｖｇ１は電源電圧Ｖｄｃにクランプされ過電圧になることが防止できる。
このように、ゲート電圧Ｖｇ１が電源電圧Ｖｄｃ以上になるように第２設定時間ｔａ１を設定することにより、続くオン固定期間Ｓ３に効率良く繋いでスイッチング素子Ｍ１のオン状態を継続させることができ、ゲート駆動回路ＧＤ１の消費電力の低減を実現できる。
【００７３】
次に、第２リアクトルＬ２を励磁する励磁期間Ｔ４における、第４スイッチング素子ＳＷ４がオンする第３設定時間ｔｂについて説明する。
励磁期間Ｔ４では、第２リアクトルＬ２を介してスイッチング素子Ｍ１の入力容量Ｃｉｓｓを放電するもので、ゲート電圧Ｖｇ１は、三角関数を用いて以下の式（２）で表せる。
【００７４】
【数２】
2019202862.tif 000004
【００７５】
この励磁期間Ｔ４において、第２リアクトルＬ２の電流ｉＬ２は、以下の式（３）で表せる。
【００７６】
【数３】
2019202862.tif 000005
【００７７】
上述したように、第２リアクトルＬ２とスイッチング素子Ｍ１の入力容量との間で共振動作が生じ、スイッチング素子Ｍ１のゲート蓄積電荷によるエネルギによって第２リアクトルＬ２は励磁される。そして、ゲート電圧Ｖｇ１はゼロに向けて減少し、第２リアクトルＬ２の電流ｉＬ２は正方向に増加する。
上記第３設定時間ｔｂを、第２リアクトルＬ２のインダクタンスＬ２とスイッチング素子Ｍ１の入力容量Ｃｉｓｓとで決定される共振周期ＴＲの１／４に設定すると、ゲート電圧Ｖｇ１はゼロになり、第２リアクトルＬ２の電流ｉＬ２を最大にすることができる。即ち、スイッチング素子Ｍ１のゲート蓄積電荷によるエネルギを無駄なく第２リアクトルＬ２に移動させることが可能になる。
なお、共振周期ＴＲは、以下の式（４）で表せる。
【００７８】
【数４】
2019202862.tif 000006
【００７９】
次に、第２リアクトルＬ２の蓄積エネルギを直流電源３に回生する回生期間Ｔ５における、第５スイッチング素子ＳＷ５がオンする第４設定時間ｔｃについて説明する。
回生期間Ｔ５では、第２リアクトルＬ２から第５スイッチング素子ＳＷ５を介して直流電源３に電力回生し、このときの第２リアクトルＬ２の電流ｉＬ２は、三角関数を用いて以下の式（５）で表せる。
【００８０】
【数５】
2019202862.tif 000007
【００８１】
上記第３設定時間ｔｂ（共振周期ＴＲの１／４）にて第２リアクトルＬ２に移動したエネルギは、続く同等時間（共振周期ＴＲの１／４）にて第５スイッチング素子ＳＷ５を介して直流電源３に電力回生される。このため、上記第４設定時間ｔｃを、第３設定時間ｔｂと同様に、第２リアクトルＬ２のインダクタンスＬ２とスイッチング素子Ｍ１の入力容量Ｃｉｓｓとで決定される共振周期ＴＲの１／４に設定する。
これにより、第２リアクトルＬ２の電流ｉＬ２をゼロにすることができ、スイッチング素子Ｍ１のゲート蓄積電荷によるエネルギを無駄なく第２リアクトルＬ２を介して直流電源３に回生し、続くオフ固定期間Ｔ６に効率良く繋いでスイッチング素子Ｍ１のオフ状態を継続させることができる。
【００８２】
また、第５スイッチング素子ＳＷ５を介して直流電源３に電力回生される回生期間Ｔ５に、第５スイッチング素子ＳＷ５の寄生ダイオードの導通を避けることができる。
このように、第３設定時間ｔｂおよび第４設定時間ｔｃを、それぞれ共振周期ＴＲの１／４に設定することにより、スイッチング素子Ｍ１のゲート蓄積電荷によるエネルギを効率良く直流電源３へ電力回生することができ、ゲート駆動回路ＧＤ１の消費電力の低減を実現できる。
【００８３】
なお、スイッチング素子Ｍ１が通常オンする場合においても、同様に、励磁期間Ｓ４における第３設定時間ｔｂ、および回生期間Ｓ５における第４設定時間ｔｃを、第２リアクトルＬ２のインダクタンスＬ２とスイッチング素子Ｍ１の入力容量Ｃｉｓｓとで決定される共振周期ＴＲの１／４に設定することにより、同様の効果が得られる。
【００８４】
実施の形態２．
図１８は実施の形態２によるゲート駆動回路、およびゲート駆動回路を用いてスイッチング制御される電力変換装置の構成を示す図である。
図１８に示すように、ゲート駆動回路ＧＤ１の主回路１Ａは、直流電源３の正極と第１ノードＮ１との間で第１スイッチング素子ＳＷ１に直列接続される第１抵抗Ｒ１を備え、さらに、直流電源３の負極と第１ノードＮ１との間で第２スイッチング素子ＳＷ２に直列接続される第２抵抗Ｒ２を備える。その他の構成は、上記実施の形態１の図１で示したものと同様であり、図１と対応もしくは相当する構成部分には同一の符号を付す。
【００８５】
この実施の形態においても、ゲート駆動回路ＧＤ１の制御回路２は上記実施の形態１と同様に主回路１Ａ内の第１〜第５スイッチング素子ＳＷ１〜ＳＷ５を制御し、主回路１Ａは同様に動作して、実施の形態１と同様の効果が得られる。
この場合、ゲート充電期間Ｔ２、Ｓ２からオン固定期間Ｔ３、Ｓ３に移行する際の、ゲート電圧Ｖｇ１と電源電圧Ｖｄｃとの電位差に基づいた突入電流が第１抵抗Ｒ１により防止できる。また、回生期間Ｔ５、Ｓ５からオフ固定期間Ｔ６、Ｓ６に移行する際の、ゲート電圧Ｖｇ１とゼロ電圧との電位差に基づいた突入電流が第２抵抗Ｒ２により防止できる。これにより、ゲート駆動回路ＧＤ１内の過電流を防止でき、さらに低消費電力および信頼性向上が図れる。
【００８６】
なお、第１抵抗Ｒ１の代わりに第１スイッチング素子ＳＷ１の内部抵抗を利用し、第２抵抗Ｒ２の代わりに第２スイッチング素子ＳＷ２の内部抵抗を利用することでも、上述した突入電流を抑制することができる。この実施の形態では、第１、第２抵抗Ｒ１、Ｒ２を別途設けたことにより、確実に突入電流を防止できる。
【００８７】
実施の形態３．
図１９は実施の形態３によるゲート駆動回路、およびゲート駆動回路を用いてスイッチング制御される電力変換装置の構成を示す図である。
図１９に示すように、ゲート駆動回路ＧＤ１は、直流電源４から電源供給されてスイッチング素子Ｍ１をオン／オフ駆動する主回路１Ｂと、主回路１Ｂを制御する制御回路２とを備える。この実施の形態では、直流電源４は、第１直流電源４Ａと第２直流電源４Ｂとを直列接続して構成され、第１直流電源４Ａと第２直流電源４Ｂとの接続点がスイッチング素子Ｍ１のソース端子Ｓに接続される。その他の構成は、上記実施の形態１の図１で示したものと同様であり、図１と対応もしくは相当する構成部分には同一の符号を付す。
【００８８】
なお、第１直流電源４Ａの直流電圧（以下、第１電源電圧と称す）をＶｄｃ１、第２直流電源４Ｂの直流電圧（以下、第２電源電圧と称す）をＶｄｃ２とする。また、電源電圧Ｖｄｃである直流電源４の電圧は、Ｖｄｃ１＋Ｖｄｃ２となる。電源電圧Ｖｄｃの大部分は第１電源電圧Ｖｄｃ１であり、第２電源電圧Ｖｄｃ２は、例えば１０％程度で良い。
また、ここでもゲート駆動回路ＧＤ１が直流電源４を備えるものとするが、直流電源４はゲート駆動回路ＧＤ１の外部に設けても良い。
【００８９】
ゲート駆動回路ＧＤ１、ＧＤ２は同様の構成で同様に動作するため、以下、スイッチング素子Ｍ１を駆動するゲート駆動回路ＧＤ１について詳細に説明し、ゲート駆動回路ＧＤ２の説明は省略する。
図２０は、スイッチング素子Ｍ１が同期整流する場合における、駆動周期Ｔの１周期分の各部の波形図を示す。スイッチング素子Ｍ１は、同期整流によりターンオンし、その後ターンオフする。図２０に示すように、時刻ｔ０〜ｔ６にて１周期が７つの動作期間Ｔ１〜Ｔ７に分割される。各動作期間Ｔ１〜Ｔ７における電流経路を図２１〜図２７に示す。
【００９０】
この実施の形態３では、ゲート駆動回路ＧＤ１の制御回路２は、上記実施の形態１と同様に主回路１Ｂ内の第１〜第５スイッチング素子ＳＷ１〜ＳＷ５を制御するものであるが、電流経路を含む動作が実施の形態１と異なる。
なお、実施の形態１と同様に、オフ固定期間からオン固定期間に至る動作を示す動作期間Ｔ１〜Ｔ３をターンオンする期間とする。また、オン固定期間からオフ固定期間に至る動作を示す動作期間Ｔ４〜Ｔ７をターンオフする期間とする。
【００９１】
時刻ｔ０〜ｔ１の動作期間Ｔ１は、スイッチング素子Ｍ１のオフ固定期間であると共に、スイッチング素子Ｍ１の状態を判定する判定期間である。
この動作期間Ｔ１では、スイッチング素子Ｍ１はオフ状態を継続しているが、オン指令信号Ｓｉｎ２の変化により時刻ｔ０にてスイッチング素子Ｍ２がオフすると、インダクタンス成分Ｌは電流を継続して流すように作用するため、スイッチング素子Ｍ１の寄生ダイオードがオンする。即ち、スイッチング素子Ｍ１は寄生ダイオードを介して電流が流れるダイオード整流の状態になる。
第２スイッチング素子ＳＷ２はオンを継続しているため、スイッチング素子Ｍ１のゲート端子Ｇから第２スイッチング素子ＳＷ２を介して第２直流電源４Ｂの負極に電流が流れる。その後、電流は第２直流電源４Ｂの正極からスイッチング素子Ｍ１のソース端子に流れる。この電流経路によって、ゲート電圧Ｖｇ１は−Ｖｄｃ２に固定され、スイッチング素子Ｍ１はオフを継続する（図２１）。
【００９２】
このダイオード整流の状態では、電流ＩＬおよびドレイン電流Ｉｄ１は、絶対値がＩｄに等しく、スイッチング素子Ｍ２のドレイン電流Ｉｄ２はゼロになる。また、ドレイン電圧Ｖｄｓ１は−Ｖｆ１に、スイッチング素子Ｍ２のドレイン電圧Ｖｄｓ２はＶｄｄ＋Ｖｆ１にそれぞれ変化する。
制御回路２では、スイッチング素子Ｍ１の状態がダイオード整流であるか否かを上記実施の形態１と同様に判定する。そしてこの場合、制御回路２は、スイッチング素子Ｍ１の状態を、ダイオード整流であると判定する。
【００９３】
次に、時刻ｔ１〜ｔ２の動作期間Ｔ２は、スイッチング素子Ｍ１のゲート端子Ｇを充電するゲート充電期間である。
時刻ｔ１にてスイッチング素子Ｍ１のオン指令信号Ｓｉｎ１がＬｏからＨｉに変化すると、第２スイッチング素子ＳＷ２がオフしてスイッチング素子Ｍ２のオン固定期間を終了すると共に、スイッチング素子Ｍ１の状態がダイオード整流であることの判定を受けて、第５スイッチング素子ＳＷ５を第１設定時間ｔａだけオンする。これにより、動作期間Ｔ２では、第１直流電源４Ａの正極から第５スイッチング素子ＳＷ５を介して第２リアクトルＬ２に電流が流れ込む。そして、その電流は、第２リアクトルＬ２からスイッチング素子Ｍ１のゲート端子Ｇへ流れ、第１直流電源４Ａの負極へ帰還する（図２２）。
【００９４】
この動作により、ゲート端子Ｇは第２リアクトルＬ２を介して充電され、ゲート電圧Ｖｇ１は−Ｖｄｃ２から正方向に変化して正極へ移行する。ゲート電圧Ｖｇ１が閾値電圧を超えるとスイッチング素子Ｍ１がオンし、スイッチング素子Ｍ１の寄生ダイオードに流れていた電流は、スイッチング素子Ｍ１本体を流れるように変化してソース端子Ｓからドレイン端子Ｄへ流れる。これにより、ドレイン電圧Ｖｄｓ１は−Ｖｆ１からゼロに変化し、スイッチング素子Ｍ２のドレイン電圧Ｖｄｓ２はＶｄｄ＋Ｖｆ１からＶｄｄに変化する。
【００９５】
なお、第５スイッチング素子ＳＷ５がオンする第１設定時間ｔａは、充電によりゲート電圧Ｖｇ１が第１電源電圧Ｖｄｃ１以上になるように設定するのが望ましい。この場合、第１直流電源４Ａの負極がスイッチング素子Ｍ１のソース端子Ｓに接続されているため、第１電源電圧Ｖｄｃ１は直流電源４の正極とソース端子Ｓとの間の電圧に等しい。これにより、続くオン固定期間Ｔ３において、直流電源４の正極から第１スイッチング素子ＳＷ１を介してゲート端子Ｇに突入電流が流れ込むのを防止できる。
【００９６】
次に、時刻ｔ２〜ｔ３の動作期間Ｔ３は、スイッチング素子Ｍ１のオン状態を継続するオン固定期間である。
時刻ｔ２にて、第５スイッチング素子ＳＷ５をオフすると共に、第１スイッチング素子ＳＷ１をオンする。この時、ゲート電圧Ｖｇ１が第１電源電圧Ｖｄｃ１未満の場合、直流電源４の正極（第１直流電源４Ａの正極）から第１スイッチング素子ＳＷ１を介してゲート端子Ｇに電流が流れる。その電流は、スイッチング素子Ｍ１のソース端子Ｓから第１直流電源４Ａの負極へ帰還する。この電流経路によって、スイッチング素子Ｍ１のゲート電圧Ｖｇ１は第１電源電圧Ｖｄｃ１に固定される。ゲート電圧Ｖｇ１が第１電源電圧Ｖｄｃ１と等しくなると、電流の流れは停止し、スイッチング素子Ｍ１はオン状態を継続する。  このとき、スイッチング素子Ｍ１に流れる電流は、スイッチング素子Ｍ１本体を流れてソース端子Ｓからドレイン端子Ｄへ流れ続ける（図２３）。
【００９７】
次に、時刻ｔ３〜ｔ４の動作期間Ｔ４は、第２リアクトルＬ２を励磁する励磁期間である。
時刻ｔ３にてスイッチング素子Ｍ１のオン指令信号Ｓｉｎ１がＨｉからＬｏに変化すると、第１スイッチング素子ＳＷ１がオフしてスイッチング素子Ｍ１のオン固定期間を終了すると共に、第４スイッチング素子ＳＷ４を第３設定時間ｔｂだけオンする。第３設定時間ｔｂは、上記実施の形態１と同様に設定する。これにより、動作期間Ｔ４では、スイッチング素子Ｍ１のゲート端子Ｇから第２リアクトルＬ２を介して第４スイッチング素子ＳＷ４に電流が流れる。その電流は、第４スイッチング素子ＳＷ４から直流電源４の負極（第２直流電源４Ｂの負極）を介してスイッチング素子Ｍ１のソース端子Ｓへ帰還する（図２４）。
【００９８】
この電流経路により、第２リアクトルＬ２とスイッチング素子Ｍ１の入力容量との間で共振動作が生じ、スイッチング素子Ｍ１のゲート蓄積電荷によるエネルギによって第２リアクトルＬ２は励磁される。その結果、ゲート電圧Ｖｇ１は負方向に変化して正極から負極に向かい、第２リアクトルＬ２の電流ｉＬ２はゼロから正方向に増加する。
ゲート電圧Ｖｇ１が閾値電圧以下になると、スイッチング素子Ｍ１はオフし、ダイオード整流の状態に移行する。
【００９９】
次に、時刻ｔ４〜ｔ５の動作期間Ｔ５は、第２リアクトルＬ２の蓄積エネルギを直流電源４に回生する回生期間である。
時刻ｔ４にて、第４スイッチング素子ＳＷ４がオフすると共に、第５スイッチング素子ＳＷ５を第４設定時間ｔｃだけオンする。第４設定時間ｔｃは、上記実施の形態１と同様に設定する。
第２リアクトルＬ２は、電流を継続して流すように作用するため、この動作期間Ｔ５では、電流は第２リアクトルＬ２から第５スイッチング素子ＳＷ５を介して第１直流電源４Ａの正極に流れ込む。そして、第１直流電源４Ａと第２直流電源４Ｂとの接続点、第２直流電源４Ｂの負極、さらに第２スイッチング素子ＳＷ２の寄生ダイオードを介して第２リアクトルＬ２に帰還する。そして、第２リアクトルＬ２に流れる電流ｉＬ２はゼロに近づいて行く。また、スイッチング素子Ｍ１は、ダイオード整流の状態を継続する（図２５）。
【０１００】
また、スイッチング素子Ｍ１がダイオード整流の状態であるため、ドレイン電圧Ｖｄｓ１は−Ｖｆ１になり、スイッチング素子Ｍ２のドレイン電圧Ｖｄｓ２はＶｄｄ＋Ｖｆ１となる。
この電流経路により、動作期間Ｔ５では、第２リアクトルＬ２の蓄積エネルギを直流電源４に回生する。即ち、動作期間Ｔ４および動作期間Ｔ５において、スイッチング素子Ｍ１のゲート蓄積電荷によるエネルギは、第２リアクトルＬ２によって直流電源４に回生される。
【０１０１】
なお、図示していないが、第２リアクトルＬ２から第５スイッチング素子ＳＷ５を介して第１直流電源４Ａの正極に流れ込んだ電流は、以下の経路にも流れる。即ち、第１直流電源４Ａと第２直流電源４Ｂとの接続点から、スイッチング素子Ｍ１のソース端子Ｓを介して第２リアクトルＬ２へ帰還する経路を形成する。この電流経路によってゲート電圧Ｖｇ１は負極へ変化して行く。なお、ゲート電圧Ｖｇ１が−Ｖｄｃ２より低くなることはない。仮に、ゲート電圧Ｖｇ１が−Ｖｄｃ２より低くなっても、第２スイッチング素子ＳＷ２の寄生ダイオードがオンして、ゲート電圧Ｖｇ１は−Ｖｄｃ２にクランプされる。
【０１０２】
また、この動作期間Ｔ５において、電流は第２スイッチング素子ＳＷ２の寄生ダイオードを通過しているが、第２スイッチング素子ＳＷ２をオンさせて第２スイッチング素子ＳＷ２本体を流れるようにしても良い。その場合、導通損失が低減される。
【０１０３】
次に、時刻ｔ５〜ｔ６の動作期間Ｔ６は、スイッチング素子Ｍ１のオフ固定期間である。
時刻ｔ５にて、第５スイッチング素子ＳＷ５がオフすると共に、第２スイッチング素子ＳＷ２をオンする。これにより、スイッチング素子Ｍ１のゲート端子Ｇから第２スイッチング素子ＳＷ２を介して第２直流電源４Ｂの負極に電流が流れる。その電流は、第２直流電源４Ｂの正極からスイッチング素子Ｍ１のソース端子Ｓへ帰還する（図２６）。
この電流経路により、動作期間Ｔ５では、ゲート電圧Ｖｇ１は−Ｖｄｃ２に固定され、スイッチング素子Ｍ１はオフを継続する。
【０１０４】
次に、時刻ｔ６〜ｔ０の動作期間Ｔ７は、引き続き、スイッチング素子Ｍ１のオフ固定期間である。
時刻ｔ６にて、スイッチング素子Ｍ２のオン指令信号Ｓｉｎ２がＬｏからＨｉに変化すると、スイッチング素子Ｍ２のゲート端子Ｇは充電されてオンする。その結果、スイッチング素子Ｍ２のドレイン端子Ｄからソース端子Ｓへ流れる電流は、インダクタンス成分Ｌへ流れ込む（図２７）。
この動作期間Ｔ７では、スイッチング素子Ｍ１の寄生ダイオードはオフするため、スイッチング素子Ｍ１のドレイン電圧Ｖｄｓ１は、−Ｖｆ１からＶｄｄへ変化する。一方、スイッチング素子Ｍ２のドレイン電圧Ｖｄｓ２は、Ｖｄｄ＋Ｖｆ１からゼロに変化する。また、ゲート電圧Ｖｇ１は−Ｖｄｃ２に固定された状態を継続する。
【０１０５】
以上のように、スイッチング素子Ｍ１は、同期整流によるターンオンと、ターンオフとを繰り返す。この場合、電力変換装置１０は、直流母線１１Ａ、１１Ｂ間の直流電力からバッテリ１２に電力供給する。
【０１０６】
この実施の形態では、直流電源４を第１直流電源４Ａと第２直流電源４Ｂとを直列接続して構成し、第１直流電源４Ａと第２直流電源４Ｂとの接続点がスイッチング素子Ｍ１のソース端子Ｓに接続される。このため、ゲート駆動回路ＧＤ１により、スイッチング素子Ｍ１のオフ時、ゲート電圧Ｖｇ１の負電圧保持が可能となる。例えば、スイッチング素子Ｍ１に直列接続されたスイッチング素子Ｍ２のドレイン電圧変動に起因してスイッチング素子Ｍ１の誤点弧が発生することがあるが、そのような誤点弧を防止できる。
なお、上述した説明では、スイッチング素子Ｍ１が同期整流ではなく通常オンする場合の説明を省略したが、その場合も、スイッチング素子Ｍ１のオフ時、ゲート電圧Ｖｇ１の負電圧保持が可能となり、誤点弧を防止できる。
このため、上記実施の形態１と同様に、低消費電力で小型の回路構成が得られると共に、さらに信頼性が向上する。
【０１０７】
また、各スイッチング素子Ｍ１、Ｍ２のゲート駆動回路ＧＤ１、ＧＤ２の消費電力が低減でき、さらに信頼性が向上するため、電力変換装置１０の電力損失を低減して装置構成の小型化、低コスト化を実現でき、さらに信頼性が向上する。
【０１０８】
実施の形態４．
次に、実施の形態４について説明する。図２８は実施の形態４によるゲート駆動回路および電力変換装置の構成を示す図である。
上記実施の形態１〜３では、電力変換装置１０として、バッテリ１２の充放電動作を行うＤＣ／ＤＣコンバータを示したが、この実施の形態では、電力変換装置１０Ａとしてインバータを用いる。
【０１０９】
図２８に示すように、電力変換装置１０Ａは、三相（Ｕ、Ｖ、Ｗ）構成のインバータであり、直流母線１１Ａ、１１Ｂ間に、３個のレグ１３Ｕ、１３Ｖ、１３Ｗを並列接続して備える。各レグ１３Ｕ、１３Ｖ、１３Ｗは、２つのスイッチング素子Ｍ１、Ｍ２を直列接続して成る。また、電力変換装置１０Ａは、各スイッチング素子Ｍ１、Ｍ２を駆動するためにそれぞれゲート駆動回路ＧＤ１、ＧＤ２を備える。そして、２つのスイッチング素子Ｍ１、Ｍ２の接続点から負荷であるモータ１２Ａに電力供給する。
この場合、電力変換装置１０Ａは、モータ１２Ａの各相コイルのインダクタンス成分ＬＵ、ＬＶ、ＬＷを介してモータ１２Ａに電力供給する。即ち、各インダクタンス成分ＬＵ、ＬＶ、ＬＷを流れる電流ＩＬＵ、ＩＬＶ、ＩＬＷが各相電流となる。
なお、電力変換装置１０Ａは、三相に限らず、例えば単相フルブリッジインバータでも良い。
【０１１０】
ゲート駆動回路ＧＤ１、ＧＤ２は、上記実施の形態１と同様の構成で同様に動作する。この場合、電力変換装置１０Ａは、三相（Ｕ、Ｖ、Ｗ）構成であるため、相毎に（２π／３）ずれた交流波形を出力するように、各相のレグ１３Ｕ、１３Ｖ、１３Ｗが駆動される。
Ｕ相のレグ１３Ｕについて、各スイッチング素子Ｍ１、Ｍ２の同期整流によるターンオン動作を、図２９〜図３２に基づいて以下に説明する。図２９、図３０は、相電流ＩＬＵが正の場合を示し、図３１、図３２は、相電流ＩＬＵが負の場合を示す。この場合、Ｕ相のレグ１３Ｕからインダクタンス成分ＬＵに流れる電流ＩＬＵの絶対値をＩｄとする。
なお、Ｖ相、Ｗ相についても同様に動作するため説明を省略する。
【０１１１】
スイッチング素子Ｍ１がオフしてスイッチング素子Ｍ２がオンしている状態（ゲート駆動回路ＧＤ１の動作期間Ｔ７に相当）では、相電流ＩＬＵは、直流母線１１Ａからスイッチング素子Ｍ１を介してモータ１２Ａに流れる（図２９）。
次いで、スイッチング素子Ｍ２がオフすると、スイッチング素子Ｍ１、Ｍ２の同時オンを防止する短絡防止期間（ゲート駆動回路ＧＤ１の動作期間Ｔ１に相当）となる。この期間は、スイッチング素子Ｍ２のオン指令信号Ｓｉｎ２がＨｉからＬｏに変化した後にスイッチング素子Ｍ１のオン指令信号Ｓｉｎ１がＬｏからＨｉになる前の期間であり、スイッチング素子Ｍ１のオフ固定期間であると共に、スイッチング素子Ｍ１の状態を判定する判定期間である。スイッチング素子Ｍ１はオフ状態を継続しているが、スイッチング素子Ｍ２がオフすると、モータ１２Ａのインダクタンス成分ＬＵは電流を継続して流すように作用するため、スイッチング素子Ｍ１の寄生ダイオードがオンする。即ち、スイッチング素子Ｍ１は寄生ダイオードを介して電流が流れるダイオード整流の状態になる（図３０）。
【０１１２】
このダイオード整流の状態では、相電流ＩＬＵおよびドレイン電流Ｉｄ１は、絶対値がＩｄに等しく、スイッチング素子Ｍ２のドレイン電流Ｉｄ２はゼロになる。また、ドレイン電圧Ｖｄｓ１は−Ｖｆ１に、スイッチング素子Ｍ２のドレイン電圧Ｖｄｓ２はＶｄｄ＋Ｖｆ１にそれぞれ変化する。
ゲート駆動回路ＧＤ１の制御回路２では、スイッチング素子Ｍ１の状態がダイオード整流であるか否かを判定する。判定は、オン指令信号Ｓｉｎ１とスイッチング素子Ｍ１、Ｍ２のドレイン電流Ｉｄ１、Ｉｄ２、相電流ＩＬＵによる電流情報とに基づいて行う。このように、制御回路２は、オン指令信号Ｓｉｎ１と３種の電流情報により高精度にダイオード整流であるか否かを判定することができる。
この場合、制御回路２は、スイッチング素子Ｍ１の状態を、ダイオード整流であると判定する。
【０１１３】
なお、制御回路２は、オン指令信号Ｓｉｎ１とスイッチング素子Ｍ１、Ｍ２のドレイン電圧Ｖｄｓ１、Ｖｄｓ２による電圧情報とに基づいて、スイッチング素子Ｍ１の状態がダイオード整流であるか否かを判定しても良い。その場合、電流情報を用いる場合よりパラメータが少なく制御が簡素化できる。
そして、上記実施の形態１と同様に、スイッチング素子Ｍ１がダイオード整流している時に、ゲート充電期間Ｔ２において第５スイッチング素子ＳＷ５を第１設定時間ｔａだけオンし、第２リアクトルＬ２を介してスイッチング素子Ｍ１の入力容量Ｃｉｓｓを充電する。その後、第５スイッチング素子ＳＷ５をオフすると共に、第１スイッチング素子ＳＷ１をオンして、スイッチング素子Ｍ１のオン状態を継続する動作期間Ｔ３に至る。
【０１１４】
次に、相電流ＩＬＵが負の場合を示す。スイッチング素子Ｍ２がオフしてスイッチング素子Ｍ１がオンしている状態（ゲート駆動回路ＧＤ２の動作期間Ｔ７に相当）では、モータ１２Ａからスイッチング素子Ｍ１に流れる相電流ＩＬＵはモータ１２Ａに還流する（図３１）。
次いで、スイッチング素子Ｍ１がオフすると、スイッチング素子Ｍ１、Ｍ２の同時オンを防止する短絡防止期間（ゲート駆動回路ＧＤ２の動作期間Ｔ１に相当）となる。この期間は、スイッチング素子Ｍ１のオン指令信号Ｓｉｎ１がＨｉからＬｏに変化した後にスイッチング素子Ｍ２のオン指令信号Ｓｉｎ２がＬｏからＨｉになる前の期間であり、スイッチング素子Ｍ２のオフ固定期間であると共に、スイッチング素子Ｍ２の状態を判定する判定期間である。スイッチング素子Ｍ２はオフ状態を継続しているが、スイッチング素子Ｍ１がオフすると、モータ１２Ａのインダクタンス成分ＬＵは電流を継続して流すように作用するため、スイッチング素子Ｍ２の寄生ダイオードがオンする。即ち、スイッチング素子Ｍ２は寄生ダイオードを介して電流が流れるダイオード整流の状態になる（図３２）。
【０１１５】
このダイオード整流の状態では、相電流ＩＬＵおよびスイッチング素子Ｍ２のドレイン電流Ｉｄ２は、絶対値がＩｄに等しく、スイッチング素子Ｍ１のドレイン電流Ｉｄ１はゼロになる。また、スイッチング素子Ｍ２のドレイン電圧Ｖｄｓ２は−Ｖｆ２に、スイッチング素子Ｍ１のドレイン電圧Ｖｄｓ１はＶｄｄ＋Ｖｆ２にそれぞれ変化する。
ゲート駆動回路ＧＤ２の制御回路２では、スイッチング素子Ｍ２の状態がダイオード整流であるか否かを判定する。判定は、オン指令信号Ｓｉｎ２とスイッチング素子Ｍ１、Ｍ２のドレイン電流Ｉｄ１、Ｉｄ２、相電流ＩＬＵによる電流情報とに基づいて行う。このように、制御回路２は、オン指令信号Ｓｉｎ２と３種の電流情報により高精度にダイオード整流であるか否かを判定することができる。
この場合、ゲート駆動回路ＧＤ２の制御回路２は、スイッチング素子Ｍ２の状態を、ダイオード整流であると判定する。
【０１１６】
なお、ゲート駆動回路ＧＤ２の制御回路２は、オン指令信号Ｓｉｎ２とスイッチング素子Ｍ１、Ｍ２のドレイン電圧Ｖｄｓ１、Ｖｄｓ２による電圧情報とに基づいて、スイッチング素子Ｍ２の状態がダイオード整流であるか否かを判定しても良い。その場合、電流情報を用いる場合よりパラメータが少なく制御が簡素化できる。
そして、ゲート駆動回路ＧＤ２は、スイッチング素子Ｍ２がダイオード整流している時に、ゲート充電期間Ｔ２において第５スイッチング素子ＳＷ５を第１設定時間ｔａだけオンし、第２リアクトルＬ２を介してスイッチング素子Ｍ２の入力容量Ｃｉｓｓを充電する。その後、第５スイッチング素子ＳＷ５をオフすると共に、第１スイッチング素子ＳＷ１をオンして、スイッチング素子Ｍ２のオン状態を継続する動作期間Ｔ３に至る。
【０１１７】
この実施の形態においても、各ゲート駆動回路ＧＤ１、ＧＤ２は、各スイッチング素子Ｍ１、Ｍ２をターンオンする際のゲート充電期間Ｔ２に先だって、ダイオード整流であるか否かを高精度に判定する。そして、ダイオード整流である場合は、ゲート充電期間Ｔ２において第５スイッチング素子ＳＷ５を第１設定時間ｔａだけオンし、インダクタンス値が高い第２リアクトルＬ２を介して各スイッチング素子Ｍ１、Ｍ２の入力容量Ｃｉｓｓを充電する。
【０１１８】
このように、入力容量Ｃｉｓｓの増加に伴って、高いインダクタンスＬ２を用いて入力容量Ｃｉｓｓを充電するため、充電電流（−ｉＬ２）が抑制され、ゲート駆動回路ＧＤ１、ＧＤ２の導通損失が低減し消費電力の低減が可能になる。また、上記実施の形態１と同様に、第２リアクトルＬ２の蓄積エネルギを直流電源３に回生する回生期間Ｔ５、Ｓ５に第５スイッチング素子ＳＷ５をオンすることにより、導通損失を低減して消費電力を低減できる。
また、各スイッチング素子Ｍ１、Ｍ２のゲート駆動回路ＧＤ１、ＧＤ２の消費電力が低減できるため、電力変換装置１０Ａの電力損失を低減して装置構成の小型化、低コスト化を実現できる。
【０１１９】
なお、上記各実施の形態では、ＤＣ／ＤＣコンバータあるいはインバータを用いた電力変換装置１０、１０Ａを示したが、ゲート駆動回路ＧＤ１は、スイッチング素子を有する電力変換装置に広く利用できる。
【０１２０】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【０１２１】
１，１Ａ，１Ｂ  主回路、２  制御回路、３，４  直流電源、４Ａ  第１直流電源、４Ｂ  第２直流電源、１０，１０Ａ  電力変換装置、１１Ａ，１１Ｂ  直流母線、１２  バッテリ、１２Ａ  モータ、１３，１３Ｕ，１３Ｖ，１３Ｗ  レグ、Ｄ１  ダイオード、Ｇ  ゲート端子、ＧＤ１，ＧＤ２  ゲート駆動回路、ＧＳＷ１〜ＧＳＷ５  駆動信号、Ｌ，ＬＵ，ＬＶ，ＬＷ  インダクタンス成分、Ｌ１  第１リアクトル、Ｌ２  第２リアクトル、Ｍ１，Ｍ２  スイッチング素子、Ｎ１  第１ノード、Ｒ１  第１抵抗、Ｒ２  第２抵抗、Ｓ  ソース端子、ＳＷ１  第１スイッチング素子、ＳＷ２  第２スイッチング素子、ＳＷ３  第３スイッチング素子、ＳＷ４  第４スイッチング素子、ＳＷ５  第５スイッチング素子、Ｔ１  判定期間、Ｔ２  ゲート充電期間、Ｔ３  オン固定期間、Ｔ４  励磁期間、Ｔ５  回生期間、Ｔ６，Ｔ７  オフ固定期間、ｔａ  第１設定時間、ｔａ１  第２設定時間、ｔｂ  第３設定時間、ｔｃ  第４設定時間。
【図１】
2019202862.tif 000008
【図２】
2019202862.tif 000009
【図３】
2019202862.tif 000010
【図４】
2019202862.tif 000011
【図５】
2019202862.tif 000012
【図６】
2019202862.tif 000013
【図７】
2019202862.tif 000014
【図８】
2019202862.tif 000015
【図９】
2019202862.tif 000016
【図１０】
2019202862.tif 000017
【図１１】
2019202862.tif 000018
【図１２】
2019202862.tif 000019
【図１３】
2019202862.tif 000020
【図１４】
2019202862.tif 000021
【図１５】
2019202862.tif 000022
【図１６】
2019202862.tif 000023
【図１７】
2019202862.tif 000024
【図１８】
2019202862.tif 000025
【図１９】
2019202862.tif 000026
【図２０】
2019202862.tif 000027
【図２１】
2019202862.tif 000028
【図２２】
2019202862.tif 000029
【図２３】
2019202862.tif 000030
【図２４】
2019202862.tif 000031
【図２５】
2019202862.tif 000032
【図２６】
2019202862.tif 000033
【図２７】
2019202862.tif 000034
【図２８】
2019202862.tif 000035
【図２９】
2019202862.tif 000036
【図３０】
2019202862.tif 000037
【図３１】
2019202862.tif 000038
【図３２】
2019202862.tif 000039
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
直流電源から電源供給されてスイッチング素子を駆動するゲート駆動回路において、
前記スイッチング素子のゲート端子に接続される第１ノードと、
前記直流電源の正極と前記第１ノードとの間に接続される第１スイッチング素子と、
前記直流電源の負極と前記第１ノードとの間に接続される第２スイッチング素子と、
前記第１ノードに第１端子が接続される第１リアクトルと、
前記第１ノードに第１端子が接続される第２リアクトルと、
前記直流電源の正極と前記第１リアクトルの第２端子との間に接続される第３スイッチング素子と、
前記直流電源の負極と前記第２リアクトルの第２端子との間に接続される第４スイッチング素子と、
前記直流電源の正極と前記第２リアクトルの前記第２端子との間に接続される第５スイッチング素子と、
前記直流電源の負極にアノードが、前記第１リアクトルの前記第２端子にカソードが接続されるダイオードと、
前記スイッチング素子への駆動信号に基づいて前記第１〜第５スイッチング素子をスイッチング制御する制御回路とを備え、
前記第１スイッチング素子がオン状態で前記第２〜第５スイッチング素子がオフ状態である、前記スイッチング素子のオン固定期間と、
前記オン固定期間に先立って、前記スイッチング素子の前記ゲート端子を充電するゲート充電期間と、
前記ゲート充電期間に先立って、前記スイッチング素子の状態がダイオード整流であるか否かを判定する判定期間とを有し、
前記判定期間において、前記スイッチング素子の状態がダイオード整流と判定されると、前記ゲート充電期間において、前記第５スイッチング素子が第１設定時間だけオンして、前記第２リアクトルを介して前記スイッチング素子の前記ゲート端子を充電する、
ゲート駆動回路。
【請求項２】
前記第１リアクトルのインダクタンスよりも前記第２リアクトルのインダクタンスを大きくした、
請求項１に記載のゲート駆動回路。
【請求項３】
前記ゲート充電期間において、前記第５スイッチング素子がオンする前記第１設定時間は、前記スイッチング素子の前記ゲート端子、ソース端子間の電圧が、前記直流電源の正極、前記ソース端子間の電圧以上となるように設定される、
請求項１または請求項２に記載のゲート駆動回路。
【請求項４】
前記判定期間において、前記スイッチング素子の状態がダイオード整流でないと判定されると、前記ゲート充電期間において、前記第３スイッチング素子が第２設定時間だけオンして、前記第１リアクトルを介して前記スイッチング素子の前記ゲート端子を充電する、
請求項１から請求項３のいずれか１項に記載のゲート駆動回路。
【請求項５】
前記オン固定期間の終了後に、前記第４スイッチング素子が第３設定時間だけオンして、前記スイッチング素子の前記ゲート端子の蓄積エネルギにより前記第２リアクトルを励磁する励磁期間と、
続いて前記第５スイッチング素子が第４設定時間だけオンして、前記第２リアクトルの蓄積エネルギを前記直流電源に回生する回生期間と、
続いて前記第２スイッチング素子がオン状態で前記第１、第３〜第５スイッチング素子がオフ状態である、前記スイッチング素子のオフ固定期間とを有する、
請求項１から請求項４のいずれか１項に記載のゲート駆動回路。
【請求項６】
前記第３設定時間および前記第４設定時間は、前記第２リアクトルのインダクタンスと前記スイッチング素子の入力容量とで決定される共振周期の１／４に設定される、
請求項５に記載のゲート駆動回路。
【請求項７】
前記直流電源の正極と前記第１ノードとの間で前記第１スイッチング素子に直列接続される第１抵抗と、
前記直流電源の負極と前記第１ノードとの間で前記第２スイッチング素子に直列接続される第２抵抗とを備える、
請求項１から請求項６のいずれか１項に記載のゲート駆動回路。
【請求項８】
前記直流電源の負極が前記スイッチング素子のソース端子に接続される、
請求項１から請求項７のいずれか１項に記載のゲート駆動回路。
【請求項９】
前記直流電源は、第１直流電源と第２直流電源とを直列接続して構成され、該第１直流電源と該第２直流電源との接続点が前記スイッチング素子のソース端子に接続される、
請求項１から請求項７のいずれか１項に記載のゲート駆動回路。
【請求項１０】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項１から請求項９のいずれか１項に記載のゲート駆動回路を備える、
電力変換装置。
【請求項１１】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項１から請求項６のいずれか１項に記載のゲート駆動回路を備え、
前記各ゲート駆動回路の前記制御回路は、前記判定期間において、前記２つのスイッチング素子にそれぞれ流れる各電流と、該２つのスイッチング素子の前記接続点から前記インダンタンス成分を介して前記負荷に流れる電流とに基づいて駆動対象のスイッチング素子の状態を判定する、
電力変換装置。
【請求項１２】
直流母線間に、２つのスイッチング素子を直列接続して成るレグを少なくとも１つ備え、前記２つのスイッチング素子の接続点からインダンタンス成分を介して負荷に電力供給する電力変換装置において、
前記各スイッチング素子を駆動するために、それぞれ請求項１から請求項６のいずれか１項に記載のゲート駆動回路を備え、
前記各ゲート駆動回路の前記制御回路は、前記判定期間において、前記２つのスイッチング素子のドレイン端子、ソース端子間の各電圧に基づいて駆動対象のスイッチング素子の状態を判定する、
電力変換装置。
【請求項１３】
前記直流母線間の直流電力と前記負荷の直流電力との間で電力変換するＤＣ／ＤＣコンバータで構成される、
請求項１０から請求項１２のいずれか１項に記載の電力変換装置。
【請求項１４】
前記直流母線間の直流電力と前記負荷の交流電力との間で電力変換するインバータで構成される、
請求項１０から請求項１２のいずれか１項に記載の電力変換装置。
【手続補正２】
【補正対象書類名】明細書
【補正対象項目名】０００７
【補正方法】変更
【補正の内容】
【０００７】
本願に開示されるゲート駆動回路は、直流電源から電源供給されてスイッチング素子を駆動するもので、上記スイッチング素子のゲート端子に接続される第１ノードと、上記直流電源の正極と上記第１ノードとの間に接続される第１スイッチング素子と、上記直流電源の負極と上記第１ノードとの間に接続される第２スイッチング素子と、上記第１ノードに第１端子が接続される第１リアクトルと、上記第１ノードに第１端子が接続される第２リアクトルと、上記直流電源の正極と上記第１リアクトルの第２端子との間に接続される第３スイッチング素子と、上記直流電源の負極と上記第２リアクトルの第２端子との間に接続される第４スイッチング素子と、上記直流電源の正極と上記第２リアクトルの上記第２端子との間に接続される第５スイッチング素子と、上記直流電源の負極にアノードが、上記第１リアクトルの上記第２端子にカソードが接続されるダイオードと、上記スイッチング素子への駆動信号に基づいて上記第１〜第５スイッチング素子をスイッチング制御する制御回路とを備える。そして、上記ゲート駆動回路は、上記第１スイッチング素子がオン状態で上記第２〜第５スイッチング素子がオフ状態である、上記スイッチング素子のオン固定期間と、上記オン固定期間に先立って、上記スイッチング素子の上記ゲート端子を充電するゲート充電期間と、上記ゲート充電期間に先立って、上記スイッチング素子の状態がダイオード整流であるか否かを判定する判定期間とを有し、上記判定期間において、上記スイッチング素子の状態がダイオード整流と判定されると、上記ゲート充電期間において、上記第５スイッチング素子が第１設定時間だけオンして、上記第２リアクトルを介して上記スイッチング素子の上記ゲート端子を充電する。
【国際調査報告】
2019202862.tif 000040
2019202862.tif 000041